(57)【要約】【課題】録画ボタンや再生ボタンなどの操作キーの操作に連動して、録画中又は再生中の動画に音楽を挿入する。【解決手段】音楽選択リストから挿入すべき音楽を選択し、その演奏形式を演奏形式決定手段により決定する（Ｓ６０１）。選択された曲名の音楽ファイルを伸長する（Ｓ６０２）。録画開始操作により（Ｓ６０３）、録画を開始する（Ｓ６０４）。音楽挿入操作キーの処理開始操作により、録画中の動画に対して音楽の挿入を開始する（Ｓ６０５）。録画終了操作により（Ｓ６０６）、音楽挿入処理を終了し（Ｓ６０７）、録画処理を終了する（Ｓ６０８）。【選択図】  図６
2004200811.tif 000002
【特許請求の範囲】
【請求項１】
動画にリアルタイムに音楽を挿入する音楽挿入手段と、
所定操作部材の開始、終了及び一時停止の各操作に連動して、当該音楽挿入手段による動画への音楽挿入の開始、終了及び一時停止を制御する制御手段
とを有することを特徴とする動画撮影装置。
【発明の詳細な説明】
【０００１】
【発明の属する技術分野】
本発明は、動画の録画再生機能、および音楽の再生機能、およびネットワークを介してファイルをダウンロードするネットワーク機能を有する動画撮影装置、ならびに動画に対して音楽を挿入する動画編集機能を有する動画撮影装置に関する。
【０００２】
【従来の技術】
近年、カムコーダをはじめ、デジタルカメラや携帯電話など、動画撮影機能を搭載した動画撮影装置が増えてきた。また、これらのなかには、ネットワーク機能を搭載したものもあり、これら動画撮影装置では、ネットワークを介して音楽や画像、アプリケーション等をダウンロードすることができる。
【０００３】
近年、このような動画撮影装置により撮影された動画ファイルに対する編集機能拡充の要望が高まってきた。
【０００４】
【発明が解決しようとする課題】
従来の動画撮影装置では、動画の編集は、撮影後に、パソコン上で行うものがほとんどであった。機器上での編集が可能な動画撮影装置もいくらかあるが、それらは、撮影済みの動画に対して編集を行うものであり、録画中の動画に対して、リアルタイムに編集を行うことができる動画撮影装置は存在しない。
【０００５】
また、ダウンロードしてきた音楽やメモリカードなどの記録媒体に記録されている音楽の使い道に関しては、従来の動画撮影装置では、一般の音楽プレーヤーと同様、人が聴くためだけに使われ、動画編集の材料として使用する、例えば、録画中の動画のバックグラウンドミュージックとして挿入する、といったことはできない。
【０００６】
そこで、本発明は、録画ボタンや再生ボタンなどの操作キーの操作に連動して、録画中または再生中の動画に音楽を挿入する動画撮影装置を提示することを目的とする。
【０００７】
【課題を解決するための手段】
本発明に係る動画撮影装置は、動画にリアルタイムに音楽を挿入する音楽挿入手段と、所定操作部材の開始、終了及び一時停止の各操作に連動して、当該音楽挿入手段による動画への音楽挿入の開始、終了及び一時停止を制御する制御手段とを有することを特徴とする。
【０００８】
【実施例】
以下、図面を参照して、本発明の実施例を詳細に説明する。
【０００９】
（第１実施例）
図１は、本発明の第１実施例である動画撮影装置を使用する環境の機能ブロック図である。サーバ１０１にはモデム１０２が接続されている。このモデム１０２を用いて、動画撮影装置１０４とサーバ１０１はネットワークを介してお互いにデータ通信が可能である。
【００１０】
サーバ１０１には、音楽ファイル、画像ファイル及びその他ファイル類を記憶可能なデータベース１０３が接続されている。データベース１０３に記憶されている音楽ファイル、画像ファイル及びその他ファイルは、動画撮影装置１０４に転送可能である。また、動画撮影装置１０４から転送されてきた音楽ファイル、画像ファイル及びその他ファイル類を、データベース１０３に記憶可能である。
【００１１】
図２は動画撮影装置１０４の外観全体を示し、図３は動画撮影装置１０４の背面を示す。
【００１２】
動画撮影装置１０４はモデム２０１を内蔵しており、ネットワークを介したデータ通信が可能である。また、動画撮影装置１０４に記憶されている音楽ファイル、画像データ及びその他ファイル類を、ネットワークを用いてサーバ１０１に転送可能である。
【００１３】
動画撮影装置１０４は、記録媒体２０２を着脱自在に装着することが可能である。記録媒体２０２の例として、フレキシブルディスク、ハードディスク、光ディスク、光磁気ディスク、ＤＶＤ、ＣＤ−ＲＯＭ、ＣＤ−Ｒ、磁気テープ、不揮発性のメモリカード、ＲＯＭ及びＥＥＰＲＯＭ等がある。サーバ１０１からダウンロードした音楽ファイル、動画撮影装置１０４を用いて撮影された動画、及びその他ファイル類を記録媒体２０２に記憶することが可能である。
【００１４】
表示画面２０３は、撮影対象を表示するだけでなく、音楽ダウンロード時における曲名リストの表示、及びダウンロードの進行状況の表示などにも使用可能である。
【００１５】
動画撮影装置１０４は、操作キー２０４乃至２０９，３０１乃至３０２の操作に応じて、動画の録画及び再生、並びにメニューリストの選択及び決定など、様々処理を実行する。
【００１６】
操作キー２０４は再生開始、操作キー２０５は一時停止、操作キー２０６は再生終了、操作キー２０７は巻き戻し、操作キー２０８は早送りの処理にそれぞれ対応する。操作キー３０１により、録画と再生を切り替える。操作キー３０２には、その押し下げにより録画の開始と一時停止がトグル動作する。操作キー２０９は十字キーと決定ボタンからなり、表示画面２０３に表示されるメニューリストの選択項目の操作などに使用される。
【００１７】
音声入力部（マイク）２１０から音を入力し、音声出力部（スピーカ）２１１から音楽及び動画の音声を出力する。
【００１８】
操作キー３０１は、一般的な動画撮影装置に搭載されているものと同様に、再生モード、録画モード及び電源オフモードの切り替えに使用される。同様に、操作キー３０２の押し下げにより、録画または動画再生の開始と一時停止が交互に切り替わる。録画中または再生中での音楽挿入操作キー３０３の押し下げにより、音楽挿入が開始され、終了される。
【００１９】
図４は、挿入する音楽の選択と決定、並びに、挿入する音楽の音楽演奏区間、繰返し回数及び繰り返し位置を決定する表示画面２０３上のグラフィックユーザインターフェースの例を示す。操作キー２０９を用いることによって、各項目の選択と決定を行う。
【００２０】
音楽選択リスト４０１より、挿入したい音楽を選択し、決定する。これは、音楽決定手段である。
【００２１】
音楽開始位置決定項目４０２により、音楽選択リスト４０１で決定した音楽の演奏開始位置と演奏終了位置を決定する。これは、音楽演奏区間決定手段である。つまみ４０３は演奏開始位置を示し、つまみ４０４は演奏終了位置を示す。例えば、音楽を頭から挿入したいときは、つまみ４０３を一番左に指定すればよいし、音楽を中間まで挿入したいときは、つまみ４０４を中間に指定する。尚、つまみ４０３とつまみ４０４の左右の位置が逆転することはない。
【００２２】
繰返し回数決定項目４０５により、音楽を動画に挿入するときに、何回まで繰り返して演奏することを許可するかを決定する。これは、繰返し回数決定手段である。また、繰返し位置決定項目４０６により、音楽を頭から繰り返すのか（図１１（１））、音楽演奏区間決定手段により決定した演奏開始位置から繰り返すのか（図１１（２））、その繰り返し位置を決定する。これは、繰返し位置決定手段である。
【００２３】
尚、試聴ボタン４０７により、演奏形式決定手段によりもとめた決定項目に従って、音楽を再生することが可能である。
【００２４】
以上の各項目を決定し終えたら、確定ボタン４０８を押して、音楽演奏形式を決定する。取り消しボタン４０９により、音楽演奏形式の決定をキャンセルできる。
【００２５】
図５は、音楽をネットワークからダウンロードするときの、動画撮影装置の処理手順を示すフローチャートである。
【００２６】
モデム２０１によりネットワークに接続し、サーバ１０１に接続する（Ｓ５０１）。接続が完了したら（Ｓ５０２）、動画撮影装置１０４からの曲名リスト送信要求に応じて、サーバ１０１から曲名リストを表すデータが動画撮影装置１０４に送信される。動画撮影装置１０４において、曲名リストを表すデータが受信されると（Ｓ５０３）、表示画面２０３に曲名リストが表示される。使用者は、その曲名リストからダウンロードしたい曲を選択する（Ｓ５０４）。選択された曲名の音楽ファイルは、サーバ１０１によりデータベース１０２から動画撮影装置１０４に送信される（Ｓ５０５）。尚、ここでは、動画撮影装置１０４がサーバ１０１に曲名リストの送信要求を行ったとする。ダウンロードした曲は、動画撮影装置１０４におけるメモリ又は記憶媒体２０２に記憶される（Ｓ５０６）。
【００２７】
図６は、音楽を挿入するときの、動画撮影装置１０４の処理手順を示すフローチャートである。
【００２８】
動画撮影装置１０４の表示画面２０３に、図４に示す表示画面が表示される。音楽選択リスト４０１には、記録媒体２０２に記録されている音楽の曲名が表示される。ユーザは、曲名リストから挿入すべき音楽を選択し、その演奏形式を演奏形式決定手段により決定する（Ｓ６０１）。選択された曲名の音楽ファイルを伸長する（Ｓ６０２）。
【００２９】
動画撮影装置１０４において、操作キー３０１を録画モードに切り替え、操作キー３０２の処理開始操作により（Ｓ６０３）、録画を開始する（Ｓ６０４）。音楽挿入操作キー３０３の処理開始操作により、録画中の動画に対して音楽の挿入を開始する（Ｓ６０５）。録画終了操作により（Ｓ６０６）、音楽挿入処理を終了し（Ｓ６０７）、録画処理を終了する（Ｓ６０８）。
【００３０】
尚、音楽挿入操作キー３０３を、録画の開始、終了及び一時停止を操作する操作キー３０２に置き換えることも可能である。更に、録画処理を動画再生処理に置き換えることも可能である。
【００３１】
このように、本実施例では、録画中の動画または再生中の動画に対して、リアルタイムに音楽を挿入することが可能になる。
【００３２】
（第２実施例）
本発明の第２実施例の処理手順を説明する。この実施例では、動画撮影装置は、音楽ファイルと動画ファイルを別々に記憶する。音楽を挿入するとき、音楽ファイルと動画ファイルをリンクするリンク情報をリンクファイルに記録する。これにより、作成された動画を再生するとき、このリンクファイルに記録されているリンク情報より音楽情報を取得し、動画に連動して音楽を再生する。以下、その動作を具体的に説明する。
【００３３】
図７は、本実施例における動画撮影装置１０４のメモリまたは記憶媒体２０２のデータ構造を示す。本実施例では、音楽ファイル７０１と動画ファイル７０２を別々に格納する。リンクファイル７０３には、音楽ファイル７０１と動画ファイル７０２をリンクするリンク情報が記録される。
【００３４】
図８は、本実施例において、音楽を挿入するときの動画撮影装置の処理手順を示すフローチャートである。
【００３５】
音楽挿入操作がオンのとき（Ｓ５０５）、その時点におけるリンク情報をリンクファイル７０３に記録する（Ｓ８０１）。これは、リンク情報記録手段である。音楽挿入操作キー３０３により音楽挿入終了操作が行われたとき（Ｓ８０２）、前記リンク情報と同じリンクタグで、リンクファイル７０３にリンク情報を記録し、音楽挿入処理を終了する（Ｓ８０３）。音楽挿入終了操作が行われていないときは、録画処理が継続される。
【００３６】
図９は、リンクファイル７０３とその具体例を示す。リンクファイル７０３に記録するリンク情報は、音楽の挿入を開始したときと終了したときとでは異なる。音楽の挿入を開始したときは、リンクタグ、開始終了タグ（０）、音楽挿入開始位置、音楽タグ、演奏開始位置、演奏終了位置、繰返し回数及び繰返し位置タグを、リンク情報として記録する。音楽の挿入を終了するときは、リンクタグ、開始終了タグ（１）、音楽挿入終了位置及び音楽タグを、リンク情報として記録する。
【００３７】
リンク情報の個々の要素を説明する。
【００３８】
リンクタグは、音楽挿入開始リンク情報と音楽挿入終了リンク情報で対になり、ユニークである。
【００３９】
開始終了タグは、音楽の挿入を開始したときは０であり、音楽の挿入を終了したときは１である。これにより、音楽の挿入を開始したときのリンク情報であるか、終了したときのリンク情報であるかを判別する。
【００４０】
音楽タグは、音楽決定手段により選択された音楽のタグである。リンクファイルとは別にある音楽情報ファイルから、この音楽タグを用いて、音楽ファイル、曲名、音楽のサイズ及び取得年月日などを参照する。
【００４１】
演奏開始位置は、演奏区間決定手段により決定され、演奏終了位置は再生区間決定手段により決定される。図１２に示す例で、ｐ１は演奏開始位置を示し、ｐ２は、演奏終了位置を示す。
【００４２】
音楽挿入開始位置は、動画記録領域上における、音楽の挿入開始時点を示し、音楽挿入終了位置は、動画記録領域上における、音楽の挿入終了時点を示す。図１２に示す例では、ｘ１が、音楽挿入開始位置を示し、ｘ２が音楽挿入終了位置を示す。
【００４３】
繰返し回数は、繰返し回数決定手段により決定される。タグの値が０より大きいときは、その値がそのまま繰返し回数を示し、タグの値が０のとき、無限回を示す。
【００４４】
繰返し位置タグは、繰返し位置決定手段により選択されたものを示す。繰返し位置が音楽の頭からのときはタグ０、音楽開始位置からのときはタグ１とする。
【００４５】
図１０は、音楽情報ファイルとその具体例を示す。音楽情報ファイルには、音楽情報として、ユニークな音楽タグ、曲名、音楽のサイズ及び取得年月日などが記録されている。
【００４６】
図１２乃至図１５を参照して、本実施例により音楽を挿入した（リンク情報を記録した）動画を再生するときの動画撮影装置の処理手順を説明する。
【００４７】
図１３から図１５は、本実施例により音楽を挿入した動画を再生するときの動画撮影装置の音楽再生処理手順のフローチャートを示す。
【００４８】
まず、動画の再生を開始した位置、即ち動画再生位置を取得する（Ｓ１３０１音楽挿入開始位置又は音楽挿入終了位置が動画再生位置より前の時点を示し、動画再生位置に最も近いリンク情報をリンクファイル７０３から取得する（Ｓ１３０２）。リンク情報が存在するとき（Ｓ１３０３）、次のステップＳ１３０４に進む。リンク情報が存在しないとき（Ｓ１３０３）、音楽を再生する必要はなく、音楽再生処理を終了する。
【００４９】
リンク情報の要素の一つである音楽開始終了タグが０（開始）であるならば、そのリンク情報を、音楽の挿入を開始した時点においてリンク情報記録手段により記録された音楽挿入開始リンク情報とする（Ｓ１３０５）。音楽挿入開始リンク情報と対であり、リンクタグが音楽挿入開始リンク情報と同じで、かつ、音楽開始終了タグが１（終了）であるリンク情報を取得し（Ｓ１３０６）、そのリンク情報を音楽の挿入が終了した時点において記録された音楽挿入終了リンク情報とする（Ｓ１３０７）。その音楽挿入開始リンク情報から演奏位置を求める（Ｓ１３０８）。
【００５０】
前記音楽開始終了タグが１（終了）であるならば（Ｓ１３０４）、リンクタグが前記リンク情報とは異なり、音楽挿入開始位置又は音楽挿入終了位置が動画再生位置より前の時点で、その動画再生位置に最も近いリンク情報をリンクファイル７０３から取得し（Ｓ１３０９）、Ｓ１３０３に戻る。
【００５１】
図１４は、演奏位置を求める手順のフローチャートを示す。音楽挿入開始リンク情報における各要素の、リンクタグをｌｉｎｋ、開始終了タグをｓｔａｒｔｅｎｄ＿ｔａｇ、音楽挿入開始位置をｘ１、音楽挿入終了位置をｘ２、音楽タグをｍｕｓｉｃ＿ｔａｇ、音楽開始位置をｐ１、演奏終了位置をｐ２、繰返し回数をｃｏｕｎｔ、繰返し位置タグをｌｏｃａｔｅ＿ｔａｇ、音楽の全長をｓｉｚｅと変数に置き換えたタイミングシーケンスを図１２に示す。これらの変数を用いて、図１４に示すフローチャートを説明する。
【００５２】
動画再生位置がｘの時点における音楽の演奏位置ｐを求める。動画再生位置ｘと音楽挿入開始位置ｘ１との差分ｗｘを求め、演奏開始位置ｐ１と音楽再生終了位置ｐ２の差分から、ユーザに再生が許可された音楽の再生時間及び音楽再生時間ｘｐを求める（Ｓ１４０１）。音楽繰返し位置タグｌｏｃａｔｅ＿ｔａｇが０（頭から繰返す）のとき、Ｓ１４０３へ、１（音楽開始位置から繰返す）のときは、Ｓ１４０６へ進む（Ｓ１４０２）。Ｓ１４０３において、差分ｗｘを音楽再生時間ｘｐで割り、その商を求める。この商の値は、音楽挿入開始位置から動画再生位置までに音楽が繰り返し再生される回数を示す。この商の値が、繰返し回数決定手段により求めた繰返し回数ｃｏｕｎｔ以下であれば（Ｓ１４０３）、音楽を再生し（Ｓ１４０４）、繰返し回数ｃｏｕｎｔより大きければ（Ｓ１４０３）、音楽を再生しない（Ｓ１４０５）。
【００５３】
Ｓ１４０４では、差分ｗｘを音楽再生時間ｗｐで割ったときの余りを求め、その余りに音楽再生開始位置ｐ１を加算する。ここで求めた余りは、演奏開始位置ｐと音楽開始位置ｐ１との差分（ｐ２−ｐ）を示し、この余りに音楽開始位置ｐ１を加えることにより、音楽の頭から見た演奏位置ｐが求まる。
【００５４】
音楽を再生しない場合、演奏開始位置ｐを−１とする（Ｓ１４０５）。
【００５５】
ｌｏｃａｔｅ＿ｔａｇが１である場合（Ｓ１４０２）、差分ｗｘが音楽再生時間ｘｐより大きいときには（Ｓ１４０６）、繰返し回数が１回以上であることを示すので、音楽の繰返し再生回数を算出する必要がある。差分ｗｘが音楽再生時間ｘｐ以下のときは（Ｓ１４０６）、音楽を繰り返す必要はない。
【００５６】
差分ｗｘが音楽再生時間ｘｐより大きいときには（Ｓ１４０６）、Ｓ１４０３と同様に、差分ｗｘで音楽再生時間ｘｐを割り、その商を求める。この商の値が、繰返し回数決定手段により求めた繰返し回数ｃｏｕｎｔ以下であれば（Ｓ１４０７）、音楽を再生し（Ｓ１４０８）、繰返し回数ｃｏｕｎｔより大きければ（Ｓ１４０７）、音楽を再生しない（Ｓ１４０５）。
【００５７】
Ｓ１４０８では、差分ｗｘと音楽再生時間ｗｐの差分を演奏終了位置ｐ２で割り、余りを算出する。この余りは、音楽の頭から見た演奏位置ｐを示す（Ｓ１４０８）。
【００５８】
差分ｗｘが音楽再生時間ｘｐ以下のときには（Ｓ１４０６）、差分ｗｘに演奏開始位置ｐ１を加算しその結果値を演奏位置ｐとする（Ｓ１４０９）。
【００５９】
ステップＳ１４０４，Ｓ１４０５，Ｓ１４０８，Ｓ１４０９の後、図１５に示すフローチャートに進む。
【００６０】
音楽情報ファイルから再生する音楽をリンク情報の音楽タグｍｕｓｉｃ＿ｔａｇから求め、先に算出した演奏開始位置ｐの位置から音楽を再生する（Ｓ１５０１）。動画再生中、常に、リンクファイルに含まれる他の音楽挿入開始位置を監視し、動画再生位置が音楽挿入開始位置と一致したとき（Ｓ１５１０）、現在、再生中の音楽を止め（Ｓ１５１１）、ステップＳ１３０５に進み、音楽挿入開始位置を含むリンク情報を基に再び音楽再生処理を実行する。
【００６１】
動画再生位置が演奏終了位置に到達したとき、つまり、音楽が一巡したとき、演奏開始位置ｐを繰返し位置（繰返し位置タグが０なら音楽の頭、繰返し位置タグが１なら演奏開始位置ｐ１）に設定し、再び音楽を再生する（Ｓ１５０３）。
【００６２】
動画再生位置が音楽挿入終了位置に到達したとき（Ｓ１５０４）、音楽挿入処理を終了する（Ｓ１５０５）。同様に、動画の再生を終了したとき（Ｓ１５０６）、音楽挿入処理を終了する（Ｓ１５０５）。
【００６３】
動画再生を一時停止したとき（Ｓ１５０７）、現在、再生中の音楽の演奏位置ｐを取得及び記憶しておき（Ｓ１５０８）、一時停止解除時に（Ｓ１５０９）、記憶しておいた演奏位置ｐから再生を再開する。
【００６４】
以上、説明したように、第２実施例によれば、動画と音楽とをリンク情報を用いてリンクさせることにより、動画ファイルと音楽ファイルとを別々に持つことができ、従って、オリジナルの音楽ファイルとオリジナルの動画ファイルを変更する必要がないという効果がある。
【００６５】
また、本実施例では、リンクファイルにリンク情報を挿入するのは、音楽の挿入を開始するときと音楽の挿入を終了するときのみに限られているので、データ量が少なくて済むという利点がある。
【００６６】
（第３実施例）
動画の画像に直接、音楽の演奏位置などのデータを埋め込む実施例を説明する。図１６は、第３実施例の動作の概要を示す模式図である。
【００６７】
音楽挿入開始操作が行われてから、録画中又は再生中の動画の画像に対して、順次、音楽再生用データを埋め込んでいく。そして、音楽挿入終了操作により、現在、挿入中の音楽を終了するための音楽終了用データを埋め込む。
【００６８】
音楽開始用データは、リンクタグ、開始タグ、音楽タグ及び演奏位置などの要素からなる。リンクタグ、開始タグ及び音楽タグは、第１実施例と同様のものであり、演奏位置は、現在の録画又は再生位置において音楽のどの時点を挿入するのかを示す位置情報を示す。
【００６９】
音楽終了用データは、リンクタグ及び終了タグからなる。リンクタグは、音楽開始用データのリンクタグと対になる。
【００７０】
図１７は、音楽情報埋め込みを行うときの本実施例の処理手順を示すフローチャートである。第１実施例の図８に代えて、実行される。
【００７１】
音楽挿入操作が行われてから（Ｓ５０５）、録画中または再生中の動画の画像に対して、順次、音楽開始用データを埋め込んでいく（Ｓ１７０１）。音楽挿入操作キー３０３により音楽挿入終了操作が行われたとき（Ｓ１７０２）、音楽挿入開始リンク情報と同じリンクタグで、録画又は再生画像に音楽終了用データを埋め込み、音楽挿入処理を終了する（Ｓ１７０３）。
【００７２】
図１８は、音楽情報埋め込み手段により音楽情報が埋め込まれた動画を再生する動作のフローチャートを示す。
【００７３】
動画再生操作により再生されている動画の再生位置を取得する（Ｓ１８０１）。取得された動画再生位置の画像に埋め込まれている音楽再生用データを取得する（Ｓ１８０２）。音楽再生用データの音楽タグにより再生すべき音楽を決定し、演奏位置からその音楽を再生する（Ｓ１８０３）。動画再生位置の画像に音楽再生用データと同じリンクタグをもつ音楽終了用データが埋め込まれているとき（Ｓ１８０４）、音楽再生処理を終了する（Ｓ１８０５）。
【００７４】
以上、説明したように、第３実施例によれば、音楽再生用データ及び音楽終了用データを動画の中に埋め込むことで、動画再生位置の動画が音楽の演奏位置を直接、指定するので、動画に対して音楽の再生位置が正確に同期する。また、第１実施例に比べ、動画ファイルと音楽情報が一体化しているため、動画の切り貼りなどの編集に適している。
【００７５】
（第４実施例）
音楽を動画撮影装置の音声入力部分から取り込むことで音楽を挿入する実施例を説明する。
【００７６】
音楽音声入力手段は、動画撮影装置１０４が音声を取り組むのと同様に音楽をも取り込むことができる。音楽音声入力方法として、音楽挿入開始操作が行われたと同時に、音声入力部分２１０から前記音楽を取り込みつつ、音声出力部分２１１からその音楽を出力する方法と、音楽を取り込みつつ音声消音手段により入力音楽を音出力しない方法とがある。後者は、音楽を演奏しないで録画したいときなどに使用される。
【００７７】
このような実施例では、音声として音楽を取り込むことにより、第２実施例及び第３実施例３のような、リンクファイルを作成する処理、及び、音声とは別に画像にリンク情報を埋め込むといった処理のような、複雑な処理をする必要がない。
【００７８】
（好ましい実施態様）
本発明の好ましい実施態様を以下に列挙する。
【００７９】
【実施態様１】動画にリアルタイムに音楽を挿入する音楽挿入手段と、
所定操作部材の開始、終了及び一時停止の各操作に連動して、当該音楽挿入手段による動画への音楽挿入の開始、終了及び一時停止を制御する制御手段
とを有することを特徴とする動画撮影装置。
【００８０】
【実施態様２】動画に音楽を挿入するとき、前記音楽の演奏形式を決定する音楽演奏形式決定手段として、前記音楽の演奏開始位置と演奏終了位置を決定する音楽演奏区間決定手段と、前記音楽を、何回まで繰返して演奏することを許可するか、その繰返し回数を決定する繰返し回数決定手段と、前記音楽を繰返すとき、音楽の頭から繰返すのか、前記音楽演奏区間決定手段により決定した演奏開始位置から繰返すのか、その繰返し位置を決定する繰返し位置決定手段とを有することを特徴とする実施態様１に記載の動画撮影装置。
【００８１】
【実施態様３】前記音楽挿入手段により、音楽の挿入を開始または終了するとき、その時点における動画の録画位置または再生位置、前記位置に挿入する音楽の音楽情報、前記音楽演奏形式決定手段により求めた前記音楽の演奏形式とを関連付け、動画ファイルと音楽ファイルを結ぶリンク情報としてリンクファイルに記録するリンク情報記録手段と、前記リンク情報記録手段を用いた動画を再生するとき、その再生位置により、前記再生位置に挿入されている音楽のリンク情報をリンクファイルより取得するリンク情報取得手段と、前記リンク情報取得手段により取得したリンク情報により、前記再生位置において演奏されるべき音楽を求める音楽情報取得手段と、前記音楽の演奏位置を求める演奏位置取得手段と、前記演奏位置取得手段により求めた演奏位置から、前記動画と連動して前記音楽を再生する音楽再生手段を有することを特徴とする実施態様１に記載の動画撮影装置。
【００８２】
【実施態様４】更に、
前記音楽挿入手段により動画に音楽を挿入するとき、そのときの録画位置または再生位置の画像に対して、挿入する音楽の音楽情報と、前記音楽の演奏位置とを埋め込む音楽情報埋め込み手段と、
前記音楽情報埋め込み手段を用いた動画を再生するとき、その再生位置の画像に埋め込まれている音楽情報により、前記再生位置において演奏されるべき音楽を求める音楽情報取得手段と、
前記音楽の演奏位置を求める演奏位置取得手段と、前記演奏位置取得手段により求めた演奏位置から、前記動画と連動して前記音楽を再生する音楽再生手段
を有することを特徴とする実施態様１に記載の動画撮影装置。
【００８３】
【実施態様５】更に、
前記音楽挿入手段により動画に音楽を挿入するとき、前記音楽を音声として動画に入力する音楽音声入力手段と、
前記音声入力手段において、音楽を音声出力部分から鳴らす音楽出力手段と、
音楽を鳴らさない音楽消音手段
とを有することを特徴とする実施態様１に記載の動画撮影装置。
【００８４】
【実施態様６】ネットワークを介して、サーバから音楽をダウンロードする音楽ダウンロード取得手段と、
取得した前記音楽をメモリやＣＤ−Ｒなどの記憶媒体に記憶する音楽記憶手段と、
メモリやメディアに記録されている音楽を任意に読み出して、前記音楽挿入手段により音楽を挿入する音楽読み出し手段と、
前記音楽挿入手段により音楽を挿入した動画ファイルと音楽ファイルなどをネットワークを介してサーバにアップロードするアップロード手段
とを有することを特徴とする実施態様１に記載の動画撮影装置。
【００８５】
【発明の効果】
以上の説明から容易に理解できるように、本発明によれば、撮影中又は再生中の動画に対してリアルタイムに音楽を挿入することができる。また、機器の操作キーを用いて音楽挿入の編集を行うので、編集のためにパーソナルコンピュータ等の編集機器を必要としない。また、音楽を挿入する操作は、録画ボタン及び再生ボタンなどの機器の操作に連動して行われるので、ユーザは、普通に動画を撮影又は再生するといった感覚で、簡単に音楽を挿入編集できる。また、動画と音楽との同期が取りやすい。
【００８６】
音楽形式決定手段により、挿入する音楽の様々な形式を決定することができる。例えば、音楽のサビの部分から挿入したり、また、音楽演奏終了後も、演奏位置を頭に戻して、引き続き音楽の挿入を行うよう設定することができる。
【００８７】
動画と音楽とをリンク情報を用いてリンクさせることにより、動画ファイルと音楽ファイルとを別々に持つことでき、従って、オリジナルの音楽ファイルとオリジナルの動画ファイルを変更する必要がないという効果がある。
【００８８】
音楽ファイルと動画ファイルを別々に持つことができる。また、動画ファイル中に音楽の開始位置及び終了位置を埋め込むことにより、音楽ファイルと動画ファイルのほかに、リンクファイルを持つ必要がない。また、画像一枚一枚に、音楽に関する情報が含まれているため、動画の切り貼りにも対応できる。
【００８９】
音楽を音声として動画に挿入することにより、オリジナルの画像として音楽を挿入した動画を入手することができる。
【００９０】
ネットワークを使った音楽取得手段により、挿入すべき音楽を、いついかなる場所でも入手することができる。これにより、例えば、南国の海で撮影するとき、ハワイアン音楽をダウンロードして、バックグラウンドミュージックとして挿入するなど、撮影する場所や気分に適した音楽をネットワークから入手し、それを即座に作品に反映することができる。
【００９１】
本発明の応用として、ＧＰＳなどの位置情報取得機能を搭載することにより、撮影位置に適した音楽をサーバが選別して、送る機能などが考えられる。
【図面の簡単な説明】
【図１】動画撮影装置とサーバとがネットワークを介してデータ通信する本発明を適用するシステムの概略構成図をである。
【図２】本発明の一実施例である動画撮影装置の外観斜視図である。
【図３】本実施例の動画撮影装置の背面図である。
【図４】音楽形式を決定するときのグラフィックインターフェースである。
【図５】本発明の第１実施例における動画撮影装置の処理手順を示すフローチャートである。
【図６】本発明の第１実施例における動画撮影装置の処理手順を示すフローチャートである。
【図７】本発明の第１実施例における動画撮影装置の記録媒体の記憶構成を示す図である。
【図８】本発明の第２実施例における動画撮影装置の処理手順を示すフローチャートである。
【図９】本発明の第２実施例におけるリンクファイルとその具体例を示す図である。
【図１０】本発明の第２実施例における音楽情報ファイルとその具体例を示す図である。
【図１１】本発明の第１実施例における音楽演奏形式の模式図である。
【図１２】本発明の第２実施例におけるリンクファイルの要素を示す模式図である。
【図１３】本発明の第２実施例における動画撮影装置の処理手順を示すフローチャートである。
【図１４】本発明の第２実施例における動画撮影装置の処理手順を示すフローチャートである。
【図１５】本発明の第２実施例における動画撮影装置の処理手順を示すフローチャートである。
【図１６】本発明の第３実施例の動作の概要を示す模式図である。
【図１７】本発明の第３実施例における動画撮影装置の処理手順を示すフローチャートである。
【図１８】本発明の第３実施例における動画撮影装置の処理手順を示すフローチャートである。
【図１９】本発明の第４実施例における動画撮影装置の処理手順を示すフローチャートである。
【符号の説明】
１０１  サーバ
１０２  モデム
１０３  データベース
１０４  動画撮影装置
２０１  モデム
２０２  記憶媒体
２０３  液晶表示装置
２０４  再生キー
２０５  一時停止キー
２０６  終了キー
２０７  巻き戻しキー
２０８  早送りキー
２０９  十字操作キーと決定キー
２１０  音声入力部分
２１１  音声出力部分
３０１  録画再生切り替えキー
３０２  録画再生操作キー
３０３  音楽挿入操作キー
４０１  音楽選択リスト
４０２  音楽演奏区間決定バー
４０３  演奏開始位置
４０４  演奏終了位置
４０５  繰返し回数決定ボックス
４０６  繰返し位置決定ボックス
７０１  音楽ファイル
７０２  動画ファイル
７０３  リンクファイル
９０１  リンクファイルのフォーマット
９０２  リンクファイルの具体例
１００１  音楽情報ファイルのフォーマット
１００２  音楽情報ファイルの具体例
１６０１  動画画像
１６０２  音楽再生用データ
１６０３  音楽終了用データ
【図１】
2004200811.tif 000003
【図２】
2004200811.tif 000004
【図３】
2004200811.tif 000005
【図４】
2004200811.tif 000006
【図５】
2004200811.tif 000007
【図６】
2004200811.tif 000008
【図７】
2004200811.tif 000009
【図８】
2004200811.tif 000010
【図９】
2004200811.tif 000011
【図１０】
2004200811.tif 000012
【図１１】
2004200811.tif 000013
【図１２】
2004200811.tif 000014
【図１３】
2004200811.tif 000015
【図１４】
2004200811.tif 000016
【図１５】
2004200811.tif 000017
【図１６】
2004200811.tif 000018
【図１７】
2004200811.tif 000019
【図１８】
2004200811.tif 000020
【図１９】
2004200811.tif 000021